Podtech/llm-jp-corpus-v4-ja_patent huggingface dataset:
(57)【要約】【課題】本発明は食器洗浄機や調理機器などに使用されるスイッチに関するもので、従来、過剰電流を検知して、電源電流を遮断するブレーカースイッチと電源回路を開閉する電源スイッチは別個に設けていた。従来のようなブレーカースイッチと電源スイッチを別個に設けたものでは、別個のスイッチをそれぞれ別個に操作するために使用上の使い勝手が悪く、且つ部品点数が多くなる課題があった。【解決手段】スイッチ本体に上面と下面を上下に分ける隔壁を設け、隔壁の上面に過剰電流を遮断するブレーカースイッチを設けるとともに、このブレーカースイッチを押し、切りする凸部をもったスイッチカムとこれを回動させるスイッチ軸を設け、更に、このスイッチカムの凸部に接してバネ板を設け、このバネ板を介して前記のブレーカースイッチの押しボタンを、押し、切りする構成とし、下面には電源回路を開閉する接点板とこれに接するカム板を前記のスイッチ軸の同軸上に設けて上面下面のスイッチを連動させる機構とした複合スイッチである。【選択図】　　　　　　　　　　図１
2004127872.tif 000002
【特許請求の範囲】
【請求項１】
食器洗浄機や調理機器などに使用されるスイッチにおいて、スイッチ本体に上面と下面を上下に分ける隔壁を設け、隔壁の上面に過剰電流を遮断するブレーカースイッチを設けるとともに、このブレーカースイッチを押し、切りする凸部をもったスイッチカムとこれを回動させるスイッチ軸を設け、更に、このスイッチカムの凸部に接してバネ板を設け、このバネ板を介して前記のブレーカースイッチの押しボタンを、押し、切りする構成とし、下面には電源回路を開閉する接点板とこれに接するカム板を前記のスイッチ軸の同軸上に設けて上面下面のスイッチを連動させる機構としたことを特徴とする複合スイッチ。
【発明の詳細な説明】
【０００１】
【発明の属する技術分野】
本発明は食器洗浄機や調理機器などに使用されるスイッチに関するものである。
【０００２】
【従来の技術】
従来、過剰電流を検知して、電源電流を遮断するブレーカースイッチと電源回路を開閉する電源スイッチは別個に設けていた。
【０００３】
【発明が解決しようとする課題】
従来のようなブレーカースイッチと電源スイッチを別個に設けたものでは、別個のスイッチをそれぞれ別個に操作するために使用上の使い勝手が悪く、且つ部品点数が多くなる課題があった。
【０００４】
【課題を解決するための手段】
本発明はこれらの課題を解決しようとするものである。即ち、スイッチ本体に上面と下面を上下に分ける隔壁を設け、隔壁の上面に過剰電流を遮断するブレーカースイッチを設けるとともに、このブレーカースイッチを押し、切りする凸部をもったスイッチカムとこれを回動させるスイッチ軸を設け、更に、このスイッチカムの凸部に接してバネ板を設け、このバネ板を介して前記のブレーカースイッチの押しボタンを、押し、切りする構成とし、下面には電源回路を開閉する接点板とこれに接するカム板を前記のスイッチ軸の同軸上に設けて上面下面のスイッチを連動させる機構とした複合スイッチである。
【０００５】
【発明の実施の形態】
以下、本発明の実施例について、図１、図２、図３、図４に基づいて説明する。図１は本発明実施例の内部を示す平面図である。図２は同じく側面図である。図３は同じく、下方より見た底面図である。図４はスイッチにカバーをした外観の平面図である。
以下、図１、図２、図３、図４について、実施の形態を説明する。
１は本発明の複合スイッチ（以下スイッチという）の本体で、スイッチ本体１には上面と下面を上下に分ける隔壁２を設け、隔壁の上面に過剰電流を遮断するブレーカースイッチ３を設けるとともに、このブレーカースイッチを押し、切りする凸部４をもったスイッチカム５とこれを回動させるスイッチ軸６を設け、更に、このスイッチカムの凸部４に接してバネ板７を設け、このバネ板７を介して前記のブレーカースイッチ３の押しボタン３’を、押し、切りする構成とし、下面には電源回路を開閉する接点板８とこれに接するカム板９を前記のスイッチ軸６の同軸上に設けて上面下面のスイッチを連動させる機構とした形態である。
尚、１０はスイッチ軸６の回転角度を規制する（本実施例では４５°）軸カムで２枚の板バネ１１により図のように挟まれ、一定角度で回転角度規制がなされている。１２はスイッチのカバーで、１３（２点鎖線で示す）はスイッチのつまみである。
以下、本実施例スイッチ１の操作を説明する。図１、図２、図３はスイッチ１の電源回路を「切り」にした状態を示している。即ち、スイッチカム５はバネ板７を押し、このバネ板７を介してブレーカースイッチ３の押しボタン３’を押し込んでいる。（この位置でブレーカースイッチはＯＦＦである。）また、下面のカム板９は図３のように、電源を開閉する接点板８を押していないので、接点８’は開いてＯＦＦになっている。
次に、つまみ１３を回し、図１に示すように、右回転４５°の位置（ＯＮ位置）にすると、スイッチカム５はバネ板７を押さない位置になり、バネ板７は点線位置となり、従って、ブレーカースイッチ３の押しボタン３’は出た状態になり、ブレーカースイッチ３はＯＮ状態になる。また、同時に、図３に示す下面のカム板９は点線位置になり、接点板８を押して、接点板８は点線位置となり、接点８’は閉じて、（ＯＮになり）電源回路が閉じて通電する。
【０００６】
【発明の効果】
以上説明のように、ブレーカースイッチと電源スイッチを複合させることにより、２つのスイッチを別個に操作する必要がなくなくなって、使用上の使い勝手が向上し、且つ部品点数が少なくなってコスト削減ができるなどの効果のある複合スイッチが提供できる。
【図面の簡単な説明】
【図１】本発明実施例の複合スイッチの上面の内部を示す平面図である。
【図２】本発明実施例の複合スイッチの側面を示す側面図である。
【図３】本発明実施例の複合スイッチの底部の内部を示す底面図である。
【図４】本発明実施例の複合スイッチにカバーをした外観の平面図である。
【符号の説明】
１　複合スイッチ本体
２　隔壁
３　ブレーカースイッチ
４　凸部
５　スイッチカム
６　スイッチ軸
７　バネ板
８　接点板
９　カム板
１０　軸カム
１１　板バネ
１２　カバー
１３　つまみ
【図１】
2004127872.tif 000003
【図２】
2004127872.tif 000004
【図３】
2004127872.tif 000005
【図４】
2004127872.tif 000006
(57)【要約】【目的】現状の自動車から排出される排気ガスが環境に少なからず悪影響を与えているとともに、エネルギー資源の底打ちが懸念されている中、自然環境に適応した電力活用システムとする。【構成】自然エネルギーを活用し、その微力な電力量から水、石油、天然ガスを電気分解し、水素を取り出すことで、それを燃料とし、燃料電池にとおすことで、電気自動車に供給する。【選択図】　　　図１
2004127873.tif 000002
【特許請求の範囲】
【請求項１】
電力供給システムで生成した水素を燃料電池に通し、供給部分を自動車にも活用し、廃棄ガスを水とすることで、二酸化炭素（ＣＯ２）排出を抑え、地球温暖化を防止する。
【発明の詳細な説明】
【０００１】
本発明は、自動車の排気ガスによる塵肺や地球温暖化の原因となっている二酸化炭素の排出を抑えるものである。
【図面の簡単な説明】
【図１】システムの総合的な流れである。
【図１】
2004127873.tif 000003
(57)【要約】【課題】電極フィラメント３４からでた金属蒸着膜がアンカー線３２の間のステム２２の表面の付着しない様に、しきる溝部４０を設ける。これにより、アンカー３２間で電流が流れ、ステム２２が発熱、溶融することを防止する。【解決手段】発光管１０を備える。前記発光管１０の両端部を封じる封じ部２０を備える。前記封じ部２０から内向きに突出するステム２２を備える。前記ステム２２に互いに隔離して植設する一対のアンカー線３２を備える。一対の前記アンカー線３２の頂部付近に架設する電極フィラメント３４を備える。前記ステム２２頂部に一対の前記アンカー線３２の間を仕切る溝部４０を形成する。【選択図】　　図１
2004127883.tif 000002
【特許請求の範囲】
【請求項１】
発光管を備え、前記発光管の両端部を封じる封じ部を備え、前記封じ部から内向きに突出するステムを備え、前記ステムに互いに隔離して、植設する一対のアンカー線を備え、一対の前記アンカー線の頂部付近に架設する電極フィラメントを備え、前記ステム頂部に一対の前記アンカー線の間を仕切る溝部を形成したことを特徴とする蛍光ランプ。
【発明の詳細な説明】
【０００１】
【発明の属する技術分野】
本発明は電極を有する蛍光ランプに関する。
【０００２】
【従来の技術】
従来の技術を図２によつて説明する。図２は、発光管１０を備え、前記発光管１０の両端部を封じる封じ部２０を備え、前記封じ部２０から内向きに突出するステム２２を備え、前記ステム２２に互いに隔離して植設する一対のアンカー線３２を備え、一対の前記アンカー線３２の頂部付近に架設する電極フィラメント３４を備えた蛍光ランプである。
【０００３】
【発明が解決しようとする課題】
上記蛍光ランプが、寿命末期になると、図３のように電極フィラメント３４からでた金属蒸着膜がアンカー線３２の間のステム２２の表面の付着する。これにより、従来は、片方のアンカー線３２、電極フィラメント３４、もう一方のアンカー線３２に流れていた電流が、片方のアンカー線３２、付着した金属蒸着膜、もう一方のアンカー線３２を介して流れる。これにより、ステム２２が発熱し溶融する問題があつた。
【０００４】
【課題を解決するための手段】
本発明では、電極フィラメントからでた金属蒸着膜がアンカー線の間のステムの表面の付着しない様に、しきる溝部を設ける。これにより、アンカー間で電流が流れ、ステムが発熱、溶融することを防止する。
【０００５】
【発明の実施の形態】
本発明の実施例を図１に示す。図１ランプは発光管１０を備え、前記発光管１０の両端部を封じる封じ部２０を備え、前記封じ部２０から内向きに突出するステム２２を備え、前記ステム２２に互いに隔離して植設する一対のアンカー線３２を備え、一対の前記アンカー線３２の頂部付近に架設する電極フィラメント３４を備え、前記ステム２２頂部に一対の前記アンカー線３２の間を仕切る溝部４０を備える。
図３に点灯回路を示す。図３は直流電源５０、インダクタ６０とコンデンサ７０の並列回路を介してスイッチ素子８０、ダイオード１１０。その並列回路と並列に発光管７０とコンデンサ９０の並列回路、これを介してインダクタ１００からなる。動作は、直流電源５０をインダクタ６０とコンデンサ７０、スイッチ素子８０をオン・オフすることにより発生する交流電圧をインダクタ１００とコンデンサ９０の直列共振によって、発光管１０に高電圧を加え点灯させる。このとき、発光管１０のフィラメント３４が寿命末期となり、その表面に塗布されたオキサイドがなくなる。さらに、進むとフィラメント３４が燃え断線する。この際にフィラメント３４の金属がステム２２の表面に付着する。金属蒸着膜が両方のアンカー線３２の間を埋め尽くすと、直流電源５０、発光管１０、コンデンサ９０、インダクタ１００、スイッチ素子８０からなる閉回路が発生し、フィラメント３４が断線しても電流が流れつづける。これにより、ステム２２は高温、さらに低抵抗となり、溶融、さらには、ランプ口金が焼損する問題点があった。
図１は、アンカー線３２の間のステム２２に溝部４０を設けた。これにより、金属蒸着膜がステム２２に付着しても、溝部の切り込み部での付着がされず、アンカー線３２間が低抵抗となることを防止することができる。
【０００６】
【発明の効果】
簡単な構造変更により、ランプ寿命末期のステム２２溶融、ランプ口金焼損を防ぐことができる。
【図面の簡単な説明】
【図１】本発明ランプの構造説明図である。
【図２】従来ランプの構造説明図である。
【図３】本発明ランプの点灯回路図である。
【図４】図１ランプの要部拡大説明図である。
【図５】その動作説明図である。
【図６】図５同様の別の説明図である。
【符号の説明】
１０一発光管、２０一封じ部、２２−ステム、３２一アンカー線、３４一フィラメント、溝部−４０、５０一直流電源、６０、１００−インダクタ、７０・９０一コンデンサ、８０−スイッチ素子、１１０−ダイオード
【図１】
2004127883.tif 000003
【図２】
2004127883.tif 000004
【図３】
2004127883.tif 000005
【図４】
2004127883.tif 000006
【図５】
2004127883.tif 000007
【図６】
2004127883.tif 000008
(57)【要約】【課題】潜り抜け穴５を塞ぐ為の別部品を無くして、組立性やコストを改善する。【解決手段】器具本体１に形成した潜り抜け孔５は、赤外線受信ユニット６が潜り抜け可能な程度の大きさである。前記赤外線受信ユニット６は前記潜り抜け孔５を塞ぐように前記器具本体１の上面側に固定される。前記赤外線受信ユニット６における前記器具本体１外周側寄りの位置に外部からの赤外線制御信号を受信する赤外線信号受光面を形成する。【選択図】　　図１
2004127888.tif 000002
【特許請求の範囲】
【請求項１】
天井面に直付けされる器具本体を備え、前記器具本体の下面中央部を覆う反射板を備え、前記器具本体・反射板間の部品収納室に配置される点灯回路装置を備え、前記器具本体・反射板を下面側から覆う透光カバーを備え、前記器具本体・反射板と前記透光カバーとの間のランプ室に配置される蛍光ランプを備え、前記点灯回路装置に結線され前記部品収納室から排出されリモコン配線を備え、前記リモコン配線は前記器具本体の下面に添って進み前記器具本体に形成した潜り抜け孔を介して前記器具本体の上面に至る配線経路であり、前記リモコン配線の末端に接続される赤外線受信ユニットを備え、前記潜り抜け孔は前記赤外線受信ユニットが潜り抜け可能な程度の大きさであり、前記赤外線受信ユニットは前記潜り抜け孔を塞ぐように前記器具本体の上面側に固定され、前記赤外線受信ユニットにおける前記器具本体外周側寄りの位置に外部空の赤外線制御信号を受信する赤外線信号受光面を形成したことを特等とする赤外線制御形蛍光灯器具。
【発明の詳細な説明】
【０００１】
【発明の属する技術分野】
本発明は、天井面に直付けされる下面カバー付の赤外線制御の照明器具に関する。
【０００２】
【従来の技術】
点灯回路装置と赤外線受信ユニットのリモコン配線が接続された状態で、器具本体下面側に点灯回路装置を設置してから器具本体上面側に赤外線受信ユニットを取り付ける時、赤外線受信ユニットを潜らせる為に本体に設けた潜り抜け孔を塞ぐための別部品が必要であつた。
【０００３】
【発明が解決しようとする課題】
上記従来技術は、；替り抜け孔を塞ぐための別部品が必要あった為組立性が悪く、また、コストＵＰとなっていた。
本発明の目的は、潜り抜け穴を塞ぐ為の別部品を無くして、組立性やコストを改善することを目的とする。
【０００４】
【課題を解決するための手段】
本体に形成した潜り抜け孔は、赤外線受信ユニットが潜り抜け可能な程度の大きさであり、前記赤外線受信ユニットは前記潜り抜け孔を塞ぐように前記器具本体の上面側に固定され、前記赤外線受信ユニットにおける前記器具本体外周側寄りの位置に外部からの赤外線制御信号を受信する赤外線信号受光面を形成する。
【０００５】
【発明の実施の形態】
以下本発明の一実施例を図より説明する。図１に、本発明による赤外線受信ユニットの取付状態を示す。本体１の下面側に点灯回路装置２を設置し反射板３により下面側から覆われ、前記点灯回路装置２から配線されるリモコン配線４は、本体１の潜り抜け孔５を潜り、本体１の上面側に配設される赤外線受信ユニット６に配線される。赤外線受信ユニット６は止めネジフにより、潜り抜け孔５を塞ぐように本体１に固定され、リモコン配線４はたるまないように配線押さえ８にはめ込んでいる。
図２に、潜り抜け孔に赤外線受信ユニットを潜らせた状態を示す。赤外線受信ユニット６の幅方向で本体１の潜り抜け穴５に潜らせて、塞ぐ場合は赤外線受信ユニット６の長さ方向で塞ぐ。（図１の通り）
図３に本体下面側に取り付けた状態を示す。赤外線受光ユニット６を外観上、器具本体下面側へ取り付けしたい場合に本体下面側へ取り付け可能とした。
【０００６】
【発明の効果】
本発明によれば、本体に形成した潜り抜け穴を、赤外線受信ユニットを利用して塞ぐことで、替り抜け穴を塞ぐ為の別部品を無くして、組立性やコストを改善することができる。
【図面の簡単な説明】
【図１】本発明に係る赤外線受信ユニットの取付状態斜視図である。
【図２】その潜り抜け孔に赤外線受信ユニットを潜らせた状態斜視図である。
【図３】それを本体下面側に取り付けた状態斜視図である。
【符号の説明】
１…本体、２…点灯回路装置、３…反射板、４…リモコン配線、５…潜り抜け孔、６…赤外線受信ユニット、７…止めネジ、８…配線押さえ、９…ランプ、１０…透光カバー
【図１】
2004127888.tif 000003
【図２】
2004127888.tif 000004
【図３】
2004127888.tif 000005
(57)【要約】【課題】ソケット固定板２０の背面側へ蛍光ランプ５０の光りを透過させ、透光カバー４０の端部を明るくする。１０…器具本体、２０…ソケット固定板、２１…透光窓、２２…反射部、３０…ランプソケット、４０…透光カバー、５０…直管形蛍光ランプ【解決手段】台所用直管形蛍光灯器具のソケット固定板２０背面側に蛍光ランプ５０の光を透過させる透光窓２１を形成し、その透光窓２１に蛍光ランプ５０の光を一部反射さる反射部２２を設け、透光カバー４０端部に蛍光ランプ５０の光を反射で届くようにする。これにより、透光カバー４０の両端は暗く見えることがない。【選択図】　　図１
2004127884.tif 000002
【特許請求の範囲】
【請求項１】
水平に配置される長尺な器具本体を備え、前記器具本体の両端部に固着されそこから下方側へ延びる一対のソケット固定板を備え、前記各ソケット固定板の下部に互いに対向するように装着されるランプソケットを備え、一対の前記ランプソケット間に装着される直管形蛍光ランプを備え、前記直管形蛍光ランプ・ランプソケット・ソケット固定板の下面および側面を覆いかつ前記器具本体に着脱自在に装着される透光カバーを備え、
前記各ソケット固定板に該ソケット固定板の背面側に光を透過する透光窓を形成し、前記ソケット固定板の正面側に前記直管形蛍光ランプの光の一部を前記選光窓側へ転向させるための反射部を形成したことを特徴とする台所用直管形蛍光灯器具。
【発明の詳細な説明】
【０００１】
【発明の属する技術分野】
本発明は台所用直管形蛍光灯器具におけるソケット固定板の背面側に光を透過させ、透光カバーを均一に明るくさせる方法に関する。
【０００２】
【従来の技術】
従来、台所用直管形蛍光灯器具で全体を透光カバーで覆われているタイプを多灯用にすると透光カバー端部が薄ぐらく見えていた。
【０００３】
【発明が解決しようとする課題】
上記従来技術は台所用直管形蛍光灯器具の透光カバー全体の明るさのバランスについて配慮がされておらず、多灯用にするとソケット数が増えソケット固定板大きくなることから蛍光ランプの光がソケット固定板で遮られ透光カバーの両端まで蛍光ランプの光が届かなくなり透光カバーの明るさのバランスが悪くなる問題があつた。
本発明はソケット固定板の背面側へ蛍光ランプの光りを透過させ、透光カバーの端部を明るくすることを目的とする。
【０００４】
【課題を解決するための手段】
上記目的を達成するために、台所用直管形蛍光灯器具のソケット固定板背面側に蛍光ランプの光を透過させる透光窓を形成し、その透光窓に蛍光ランプの光を一部反射さる反射部を設け、透光カバー端部に蛍光ランプの光を反射で届くようにしたことにより透光カバーの両端は暗く見えることがない。
【０００５】
【発明の実施の形態】
本発明の実施例形態を図１より説明する。図１器具は、水平に配置される長尺な器具本体１０を備え、前記器具本体１０の両端部に固着されそこから下方側へ延びる一対のソケット固定板２０を備え、前記各ソケット固定板２０の下部に互いに対向するように装着されるランプソケット３０を備え、一対の前記ランプソケット３０間に装着される直管形蛍光ランプ５０を備え、前記直管形蛍光ランプ５０・ランプソケット３０・ソケット固定板２０の下面および側面を覆いかつ前記器具本体１０に着脱自在に装着される透光カバー４０を備える。
また、図２のように、前記各ソケット固定板２０に該ソケット固定板２０の背面側に光を透過する透光窓２１を形成し、前記ソケット固定板２０の正面側に前記直管形蛍光ランプ５０の光の一部を前記選光窓２１側へ転回させるための反射部２２を形成したことにより前記透光カバー４０の端部に前記直管形蛍光ランプ５０の光が届くようになり前記逓光カバー４０全体の明るさバランスを良くする効果がある。
【０００６】
【発明の効果】
本発明によれば台所用直管形蛍光灯器具を多灯用にしてソケット固定板を大きくしても透光カバー端部が明るいので透光カバーの明るさのバランスが良い効果がある。
【図面の簡単な説明】
【図１】本発明に係る台所用直管形蛍光灯器具の全体斜視図である。
【図２】その端部断面図である。
【符号の説明】
１０…器具本体、２０…ソケット固定板、２１…透光窓、２２…反射部、３０…ランプソケット、４０…透光カバー、５０…直管形蛍光ランプ
【図１】
2004127884.tif 000003
【図２】
2004127884.tif 000004
(57)【要約】【課題】対地に電気的に導通された器具本体１０と反射板４０の電気的導通を図ることによる製品の安全性の向上及び、インバータ器具等のノイズ低減を図る。【解決手段】長尺な器具本体１０を備える。前記器具本体１０の下面側に固定する反射板取付台２０を備える。断面がほぼＶ形を呈する長尺な反射板４０を備える。前記反射板４０の中央稜線箇所を下側から前記反射板取付台２０の中央箇所２２へ着脱自在に連結するターンファスナ５０を備える。前記ターンファスナ５０はそれをほぼ１／４回転させることによって前記連結がなされる構造である。前記反射板取付台２０の中央箇所２２に装着される弾性帯状金具３０を備える。前記弾性帯状金具３０に先端付近が前記反射板４０の傾斜面へ４４弾性変形して圧接する一対のせり出し片３２を設ける。【選択図】　　図１
2004127887.tif 000002
【特許請求の範囲】
【請求項１】
長尺な器具本体を備え、前記器具本体の下面側に固定する反射板取付台を備え、断面がほぼＶ形を呈する長尺な反射板を備え、前記反射板の中央稜線箇所を下側から前記反射板取付台の中央箇所へ着脱自在に連結するターンファスナを備え、前記ターンファスナはそれをほぼ１／４回転させることによって前記連結がなされる構造であり、前記反射板取付台の中央箇所に装着される弾性帯状金具を備え、前記弾性帯状金具に先端付近が前記反射板の傾斜面へ弾性変形して圧接する一対のせり出し片を設けたことを特徴とする逆富士形蛍光灯器具。
【請求項２】
請求項１において、各せり出し片の先端付近に鋭利部を形成し、反射板の上面へ圧接しかつ圧接時に該傾斜面の塗装膜を剥離するように定めた逆富士形蛍光灯器具。
【発明の詳細な説明】
【０００１】
【発明の属する技術分野】
本発明は照明器具の逆富士形器具の反射板アース構造に関する。
【０００２】
【従来の技術】
従来の技術によると反射板は器具本体と電気的に導通していない構造であった。
【０００３】
【発明が解決しようとする課題】
本発明の目的は対地に電気的に導通された器具本体と反射板の電気的導通を図ることによる製品の安全性の向上及び、インバータ器具等のノイズ低減を図ることにある。
【０００４】
【課題を解決するための手段】
器具本体に具備された反射板取付台に弾性帯状金具を取付け、前記弾性帯状金具介し反射板・器具本体の電気的導通を図る。
【０００５】
【発明の実施の形態】
長尺な器具本体１０を備え、前記器具本体１０は下面側に固定された反射板取付台２０を備えている。断面がほぼＶ形を呈する長尺な反射板４０は、中央稜線箇所４２を下側から前記反射板取付台２０の中央箇所２２へ着脱自在に連結され１／４回転させることにより前記反射板取付台２０との連結がなされるターンファスナ５０により器具本体１０への固定がなされている器具構成となっている。
前記構成された器具の前記反射板取付台２０の中央箇所２２に装着可能な弾性帯状金具３０を備え、前記弾性帯状金具３０は反射板４０の天井取付時において先端付近が前記反射板４０の傾斜面４４へ弾性変形して圧接する一対のせり出し片３２を設け、各せり出し片３２の先端付近に鋭利部３６を形成することにより、前記反射板取付時における反射板傾斜面４４を圧接しながらスライドする前記鋭利部３６が前記反射板傾斜面４４の塗装膜を剥離することにより、前記反射板が天井面取付状態において前記弾性帯状金具３０・反射板取付台２０を介して器具本体１０との電気的導通を可能とする。
【０００６】
【発明の効果】
本発明によれば、器具本体と反射板に電気的導通が必要な既存の製品に弾性帯状のアース金具を追加することにより電気的導通が図れる。また反射板は基本的に塗装されており電気的導通を得る為には塗装膜を剥離する必要があるが、施行時の反射板天井取付の作業工程において塗装膜を剥離することができる為、組立時の塗装膜剥離作業が省略でき組立作業の簡素化が図れる。
【図面の簡単な説明】
【図１】本発明器具の断面図である。
【図２】その側面図である。
【符号の説明】
１０：器具本体
２０：器具本体に具備された反射板取付台
２２：反射板取付台中央部
３０：弾性帯状金具
３２：弾性帯状金具のせり出し片
３４：反射板圧接前（反射板の天井取付前）のせり出し片状態
３６：弾性帯状金具のせり出し片に形成された鋭利部
４０：反射板
４２：反射板の中央稜線部
４４：反射板の傾斜面
５０：ターンファスナ
【図１】
2004127887.tif 000003
【図２】
2004127887.tif 000004
(57)【要約】【課題】配光が自由に変えられ、反射板の形状をフラットにできて梱包容積も小さくなり、積載効率のよい直管形蛍光灯器具を提供する。【解決手段】器具本体１０を備える。前記器具本体１０の下面側に配置する長尺な反射板２０を備える。前記長尺な反射板２０にその長手方向に沿った一対のミシン目２２を形成する。前記各ミシン目２２をそこから手で折り曲げることの可能な強度の折り曲げ線とする。前記各ミシン目２２に沿って折り曲げそれより縁側の区域を傾斜させる。【選択図】　　図１
2004127889.tif 000002
【特許請求の範囲】
【請求項１】
器具本体を備え、前記器具本体の下面側に配置する長尺な反射板を備え、前記長尺な反射板にその長手方向に沿った一対のミシン目を形成し、前記各ミシン目をそこから手で折り曲げることの可能な強度の折り曲げ線とし、前記各ミシン目に沿って折り曲げそれより縁側の区域を傾斜させたことを特徴とする直管形蛍光灯器具。
【発明の詳細な説明】
【０００１】
【発明の属する技術分野】
本発明は笠付形蛍光灯器具の反射板の構造に関する。
【０００１】
【従来の技術】
従来技術の反射板の形状は、長尺な反射板の長手方向に沿って両側を同様に曲げることで蛍光ランプの光を定めた方向に反射させる形状となっている。
このため器具の配光は一定であり、器具取付後に配光を変えることができないので部屋の照度ムラの解消や部分的に床面照度を明るくしたい場合等は器具の取付位置を変更しなければならない問題があつた。
【０００１】
【発明が解決しようとする課題】
本発明の目的は、前記従来技術の問題となっていた問題点を解決した器具を提供することである。
【０００１】
【課題を解決するための手段】
上記目的を解決するために、反射板の形状を一定ではなく任意の形状に曲げられるように長手方向に沿って一対のミシン目を設けたものである。
【０００１】
【発明の実施の形態】
本発明の実施形態を図１、図２、図３を用いて説明する。これらの各図に示す器具は、器具本体１０、反射板２０、ランプソケット３０より構成しており、反射板２０の長手方向に沿って一対のミシン目２２を設けている。
実際の配光制御の方法としては、器具の取付前又は取付後に反射板２０のミシン目２２部のところで曲げることで制御できる。
このため、器具の取付位置を変えることなく自由に配光制御ができる。
【０００１】
【発明の効果】
本発明によれば、配光が自由に変えられる他反射板の形状をフラットにできるので梱包容積も小さくなり積載効率が良くなる。
【図面の簡単な説明】
【図１】本発明器具のの全体を示す斜視図である。
【図２】その側面を示す断面図である。
【図３】そのミシン目部を示す部分詳細図である。
【図４】従来器具の側面を示す断面図である。
【符号の説明】
１０：器具本体
２０：反射板
２２：ミシン目
３０：ランプソケット
４０：蛍光ランプ
【図１】
2004127889.tif 000003
【図２】
2004127889.tif 000004
【図３】
2004127889.tif 000005
【図４】
2004127889.tif 000006
(57)【要約】【課題】保護鍔４０の取付け性をよくして作業性をアップさせる。【解決手段】器具本体１０を備える。前記器具本体１０に装着する投光形白熱電球２０を備える。前記器具本体１ご装着する金属製の遮光カバー３０を備える。前記遮光カバー３０の中央に投光窓３２を形成するように前記遮光カバー３０を配置する。前記投光形白熱電球２０の主配光を前記投光窓３２を介して器外へ投射する。前記遮光カバー３０における前記透光窓３２の緑部３４に保護鍔４０を配置する。前記保護鍔４０は柔軟性のあるリング状部材である。前記保護鍔４０に前記緑部３４と着脱自在に歓合するスリット部４２を形成した電球形照明器具である。前記保護鍔４０と一体に形成する補助筒部４８を設ける。前記補助筒部４８を前記保護鍔４０から離れるにしたがって末広がり状に形成する。前記補助筒部４８を前記遮光カバー３０の内面と離隔対向するように配置する。【選択図】　　図１
2004127885.tif 000002
【特許請求の範囲】
【請求項１】
器具本体を備え、前記器具本体に装着する投光形白熱電球を備え、前記器具本体１を装着する金属製の遮光カバーを備え、前記遮光カバーの中央に投光窓を形成するように前記遮光カバーを配置し、前記投光形白熱電球の主配光を前記投光窓を介して器外へ投射し、前記遮光カバーにおける前記透光窓の緑部に保護鍔を配置し、前記保護鍔は柔軟性のあるリング状部材であり、前記保護鍔に前記緑部と着脱自在に嵌合するスリット部を形成した電球形照明器具において、
前記保護鍔と一体に形成する補助筒部を設け、前記補助筒部を前記保護鍔から離れるにしたがって末広がり状に形成し、前記補助筒部を前記遮光カバーの内面と離隔対向するように配置したことを特徴とする電球形照明器具。
【発明の詳細な説明】
【０００１】
【発明の属する技術分野】
本発明は電球形照明器具における保護鍔と補助筒部の一体成形に関する。
【０００２】
【従来の技術】
従来の電球形照明器具は器具本体を備える。前記器具本体に装着する投光形白熱電球を備える。前記器具本体に装着する金属製の遮光カバーを備える。前記遮光カバーの中央に投光窓を形成するように前記遮光カバー３０を配置する。前記投光形白熱電球の主配光を前記投光窓を介して器外へ投射する。前記遮光カバーにおける前記透光窓の緑部に保護鍔を配置する。前記保護鍔は柔軟性のあるリング状部材である。前記保護鍔に前記緑部と着脱自在にＦ談合するスリット部を形成している。
【０００３】
【発明が解決しようとする課題】
上記従来技術は本体に装着する投光形白熱電球を備える。前記器具本体に装着する金属製の遮光カバーを備える。前記遮光カバーの中央に投光窓を形成するように前記遮光カバーを配置する。前記投光形白熱電球の主配光を前記投光窓を介して器外へ投射する。前記遮光カバーにおける前記透光窓の緑部に保護鍔を配置する。前記保護鍔は柔軟性のあるリング状部材である。前記保護鍔に前記緑部と着脱自在に嵌合するスリット部を形成していたが取り付け性が悪く作業しにくい問題があつた。本発明の目的は保護鍔の取付け性をよくして作業性をアップさせることにある。
【０００４】
【課題を解決するための手段】
上記目的を達成するために、器具本体に装着する投光形白熱電球を備える。前記器具本体に装着する金属製の遮光カバーを備える。前記遮光カバーの中央に投光窓を形成するように前記遮光カバーを配置した。前記投光形白熱電球の主配光を前記投光窓を介して器外へ投射した。前記遮光カバーにおける前記透光窓の緑部に保護鍔を配置した。前記保護鍔は柔軟性のあるリング状部材であり、前記保護鍔に前記緑部と着脱自在に薮合するスリット部を形成した電球形照明器具において、前記保護鍔と一体に形成する補助筒部を設け、前記補助筒部を前記保護鍔から離れるにしたがって末広がり状に形成し、前記補助筒部を前記遮光カバーの内面と離隔対向するように配置した。
【０００５】
【発明の実施の形態】
以下本発明−実施例を図１より説明する。器具本体１０は投光形白熱電球２０を備え、前記器具本体１０に装着する金属製の遮光カバー３０を備え、前記遮光カバー３０の中央に投光窓３２を形成し、前記投光形白熱電球２０の主配光を前記投光窓３２を介して器外へ投射するように前記遮光カバー３０を配置し、前記遮光カバー３０における前記透光窓３２の緑部３４に保護鍔４０を配置し、前記保護鍔４０は柔軟性のあるリング状部材であり、前記保護鍔４０に前記緑部３４と着脱自在に薮合するスリット部４２を形成し、前記保護鍔４０と一体に形成する補助筒部４８を設け、前記補助筒部４８を前記保護鍔４０から離れるにしたがって末広がり状に形成し、前記補助筒部４８を前記遮光カバー３０の内面と離隔対向するように配置している。
図２より前記投光窓３２の前記緑部３４より前記補助筒部４８をつぶしながら挿入し前記遮光カバー３０の内部で末広がり状に復元される。その際前記補助筒部４８の外面に緑部３４が滑り前記スリット部４２に骸合するので容易に装着でき、前記補助筒部４８が前記保護鍔４０を補強するのでたわみによる外れ防止効果がある。また前記補助筒部４８が前記投光形白熱電球２０の熱を遮断してくれるので触れることがある前記遮光カバー３０の温度上昇を押さえる効果がある。
【０００８】
【発明の効果】
本発明によれば、投光窓の縁部より補助筒部をつぶしながら挿入し遮光カバーの内部で末広がり状に復元される。その際補助筒部の外面に緑部が滑り前記スリット部に嵌合するので容易に装着でき補助筒部が保護鍔を補強するのでたわみによる外れ防止効果がある。また補助筒部が前記投光形白熱電球の熱を遮断してくれるので触れることがある遮光カバー外郭表面の温度上昇を押さえる効果がある。
【図面の簡単な説明】
【図１】本発明器具の断面図である。
【図２】その部分斜視図である
【符号の説明】
１０…器具本体、２０…投光形白熱電球、３０…遮光カバー、３２…透光窓、３４…緑部、４０…保護鍔、４２…スリット部、４８…補助筒部
【図１】
2004127885.tif 000003
【図２】
2004127885.tif 000004
(57)【要約】【課題】蛍光ランプ１１の蛍光体の種類に対応した光束働程特性が選択できる蛍光灯点灯装置を提供する。【解決手段】蛍光ランプ１１に対応した光東働程特性を選択する選択スイッチ５１を付加することにより、異なる蛍光ランプ１１の蛍光体の光束働程特性に対応できる。【選択図】　　図１
2004127882.tif 000002
【特許請求の範囲】
【請求項１】
器具本体を備え、前記器具本体の外部に装着する蛍光ランプを備え、前記器具本体に内蔵され前記蛍光ランプを点灯する点灯回路を備え、前記点灯回路は前記蛍光ランプの点灯累積時間を記録する時間記憶手段と各種ランプに対応する各種の光束働程特性を記憶する特性記憶手段と前記時間記憶手段・特性記憶手段の各データを読み出して前記蛍光ランプの光出力が前記点灯累積時間の変化にかかわらずにほぼ一定となるように制御する制御手段を含み、前記器具本体の外部に前記蛍光ランプに対応した前記光束働程特性を選択し、そのデータを読み出すように選択する選択スイッチの操作部を配置したことを特徴とする蛍光灯点灯装置。
【請求項２】
選択スイッチにおける操作部を同方向に動かすことにより、順次に光束劣化のより大きな光束働程特性が選択されるように、該操作部の歩進のノッチを定めたことを特徴とする請求項１記載の蛍光灯点灯装置。
【発明の詳細な説明】
【０００１】
【発明の属する技術分野】
本発明は光束働程特性を選択できる選択スイッチを有する蛍光灯点灯装置に関するものである。
【０００２】
【従来の技術】
器具本体を備え、前記器具本体の外部に装着する蛍光ランプを備え、前記器具本体に内．蔵され前記蛍光ランプを点灯する点灯回路を備え、前旨醜点灯回路は前記蛍光ランプの点灯累積時間を記録する時間記憶手段と各種ランプに対応する各種の光束働程特性を記憶する特性記憶手段と前記時間記憶手段・特性記憶手段の各データを読み出して前記蛍光ランプの光出力が前記点灯累積時間の変化にかかわらずにほぼ一定となるように制御する点灯装置は公知である。
【０００３】
【発明が解決しようとする課題】
蛍光ランプは蛍光体の種類により光束働程特性が異なるが、ユーザが蛍光体の種類を自由に選択できるので、従来のように蛍光体の種類にかかわらず光束働程特性を同一とすると、累積点灯時間に対する調光度も同一となり、蛍光体によってランプ光束が異なることとなる。本発明の目的は、蛍光ランプの蛍光体の種類に対応した光束働程特性が選択できる蛍光灯点灯装置を提供することである。
【０００４】
【課題を解決するための手段】
本発明は、蛍光ランプに対応した光東働程特性を選択する選択スイッチを付加することにより、異なる蛍光ランプの蛍光体の光束働程特性に対応できる。
【０００５】
【発明の実施の形態】
図１〜図４を用いて本発明の実施形態について説明する。図１装置は、器具本体１０を備え、前記器具本体に装着する蛍光ランプ１１及びランプソケット１２を備え、前記器具本体の外部に選択スイッチ５１の操作部を備えた蛍光灯点灯装置である。選択スイッチ５１はノッチスイッチである。
図２において、点灯回路３１もま”交流電源２１電圧により電源を供給され、制御回路３６により制御された点灯回路３１により蛍光ランプ１１を点灯させる。前記制御回路３６は、点灯累積時間及び光束働程特性によって決まる調光度により制御される。蛍光ランプ１１の点灯累積時間は、交流電源２１の通電時間を点灯累積時間カウント回路３８によって時間カウントし、その時間は交流電源２１が無くなっても記憶保持しておけるように、不揮発性メモリ（ＥＥＰＲＯＭ）等を利用したメモリ３９に記録しておく。前記光束働程特性は、蛍光体の種類に対応して光束働程特性記憶回路３７に記憶されている。光束働程特性は図４のように蛍光体の種類によって異なるため、これを選択スイッチ５１によって切替え、そのスイッチコードＩこより光束働程特性記憶回路３７からデータを読み出す。図３に前記の動作のフローチャートを示す。スイッチコードは１がランプＡ、２がランプＢ、３がランプＣに対応しており、図４における蛍光体の違うランプＡ、Ｂ、Ｃにそれぞれ対応している。そして、光束働程特性記憶回路３７から読み出したデータと点灯累積時間を記憶したメモリ３９から読み出したデータとから制御回路３６により調光度を決定し、制御信号をインバータ回路３４に送り制御する。このように、選択スイッチ５１を付加することにより、異なる蛍光体においても同一かつ一定の照度が得られる。
【０００６】
次に、例えば図４におけるランプＢを用いた場合、本来は選択スイッチ５１のスイッチコードを２として使用するのが通常の使用方法であるが、スイッチコードを１として使用すると、スイッチコードを２としたときよりも、調光度は浅くなり明るくなる。同様にランプＢを用い、スイッチコードを３として使用すれば、スイッチコードを２としたときよりも、調光度は深くなり暗くなる。この場合、選択スイッチ５１を１側にするほど明るくなり、３側にするほど暗くなる。したがって、選択スイッチ５１における操作部を前記光束働程特性の光束劣化の大きな順あるいは小さな順に配置し、スイッチ操作部の歩進のノッチを定めることにより、ユーザが本来の蛍光体の種類に見合った調光度よりも、明るく設定したり暗く設定したりすることも可能となる。
このように、ユーザが蛍光体の種類に合わせた調光度を選択するだけでなく、ユーザが望む明るさにも設定を調節することができる。
【０００７】
【発明の効果】
本発明により蛍光ランプにおける蛍光体の種類に対応した光束働程特性が選択できる。また、本来の蛍光体の種類に見合った調光度よりも、明るく設定したり暗く設定したりすることも可能となる。
【図面の簡単な説明】
【図１】選択スイッチ付器具本体の斜視図である。
【図２】その蛍光灯点灯回路ブロック図である。
【図３】その調光度決定におけるフローチャートである。
【図４】蛍光体の種類別累積点灯時間−ランプ光束特性である。
【符号の説明】
１０：器具本体
１１：蛍光ランプ
１２：ランプソケット
２１：交流電源
３１：点灯回路
３６：制御回路
３７：光束働程特性記憶回路
３８：点灯累積時間カウント回路
３９：メモリ
５１：選択スイッチ
【図１】
2004127882.tif 000003
【図２】
2004127882.tif 000004
【図３】
2004127882.tif 000005
【図４】
2004127882.tif 000006
(57)【要約】【課題】透光板３の湾曲挙動を防止しなしは軽減する。【解決手段】天井面に固定する器具本体１を備える。前記器具本体１の下面側に水平に配置する環状蛍光ランプ２を備える。前記環状蛍光ランプ２の下面側に水平に配置するアクリル樹脂製の透光板３を備える。前記環状蛍光ランプ２・透光板３相互の間隔は前記環状蛍光ランプ２の環直径に満たない寸法である。前記透光板３全体を滑らかに下向きに凸となるように湾曲させる。該湾曲の程度をそれによる該透光板中央の立ち下がりが１ｃｍ以下となるように定める。【選択図】　　図２
2004127890.tif 000002
【特許請求の範囲】
【請求項１】
天井面に固定する器具本体を備え、前記器具本体の下面側に配置する水平に配置する環状蛍光ランプを備え、前記環状蛍光ランプの下面側に水平に配置するアクリル樹脂製の透光板を備え、前記環状蛍光ランプ・透光板相互の間隔は前記環状蛍光ランプの管外径に満たない寸法であり、前記透光板全体を滑らかに下向きに凸となるように湾曲させ、該湾曲の程度をそれによる該透光板中央の立ち下がりが１ｃｍ以下となるように定めたことを特徴とする環状蛍光灯器具。
【発明の詳細な説明】
【０００１】
【発明の属する技術分野】
本発明は環状蛍光灯器具、特にその透光カバー（透光板）の構成に関する。
【０００２】
【従来の技術】
環状蛍光ランプの下面側に水平に平板状の透光板を配置することがある。構造的には格別の問題はない。しかし、器具薄型化等の必要から透光板（平板）・環状蛍光ランプを過度に接近させると、問題が生ずる。
【０００３】
【発明が解決しようとする課題】
透光板（平板）をアクリル樹脂製である場合、透光板（平板）・環状蛍光ランプを過度に接近させると、環状蛍光ランプの熱の影響で、透光板の板厚を介した上下で温度差が生じる。このため、該透光板が上向きに凸となるように湾曲する。
本発明の目的は、透光板の上記湾曲挙動を防止しなしは軽減することである。
【０００４】
【課題を解決するための手段】
本発明においては、予め透光板全体を滑らかに下向きに凸となるように湾曲させておくことにより、その剛性を高め、点灯状態での熱による湾曲挙動を防止する。
【０００５】
【発明の実施の形態】
図１〜図３を用いて、本発明の実施形態について説明する。図示のごとく、本発明器具は天井面に固定する器具本体１を備える。前記器具本体１の下面側に水平に配置する環状蛍光ランプ２を備える。前記環状蛍光ランプ２の下面側に水平に配置するアクリル樹脂製の透光板３を備える。図１の透光板３は透視状に描かれている。前記環状蛍光ランプ２・透光板３相互の間隔は前記環状蛍光ランプ２の管外径に満たない寸法である。前記透光板３全体を滑らかに下向きに凸となるように湾曲させ、該湾曲の程度をそれによる該透光板３中央の立ち下がり３ａが１０ｍｍ（１ｃｍ）以下となるように定める。
【０００６】
前記透光板３は、前記器具本体１の外周部を覆う枠４と複数の支柱５を介して前記器具本体１の下面側に水平に配置する。前記器具本体１・前記枠４間は回転して係止する構造である。透光板３は使用時の目視上は平板としての体裁を保持するが、点灯にともなう撓みは生じない。また、成形時の冷却条件等による、不所望ななそり防止にも効果がある。
前記環状蛍光ランプ２は８５Ｗのいわゆる二重環形のものである。その環外径（最大径）は３４０ｍｍであり、各管の管外径は２０ｍｍである。アクリル樹脂製の透光板３の外径は６００ｍｍであり、その厚みは３ｍｍである。環状蛍光ランプ２・透光板３相互の間隔（前者の最低点と後者の最高点の距離）５ｍｍであり、管外径は２０ｍｍに満たない。この意味は汎用品よりも過接近するタイプであって、前者の熱（点灯時の発熱）の影響が無視できなくなり、平板の透光板３であったのでは、それに撓みが生ずるという程度を表す。平板な透光板３全体を滑らかに下向きに凸となるように湾曲させることによる該透光板３中央の立ち下がり３ａは５ｍｍであり、１０ｍｍに満たない。５ｍｍであれば前記撓みは生じない。５ｍｍを越えた６ｍｍであっても同効である。１０ｍｍの限度は前記透光板３全体を滑らかに下向きに凸となるように湾曲させても、看者に平板としての認識が得られる程度を意味する。
５ｍｍ程度の前記下向き凸の湾曲がない場合は点灯に伴い、透光板３が上向きに凸となるように湾曲し、環状蛍光ランプ２・透光板３間がさらに過接近し、透光板３が過熱する。またかかる湾曲・復元が点灯・消灯の度に繰り返され、弾性披露が進む。
【０００６】
【発明の効果】
本発明は、予め適宜に湾曲させることにより、全体的に剛性が高める。それにより、点灯状態での熱の影響による変形が防止できる。
【図面の簡単な説明】
【図１】本発明器具の斜視図である。
【図２】その側面図である。
【図３】図２の分解側面図である。
【符号の説明】
１：器具本体、２：環状蛍光ランプ、３：透光板、３ａ：立ち上がり（湾曲部）、４：枠、５：支柱
【図１】
2004127890.tif 000003
【図２】
2004127890.tif 000004
【図３】
2004127890.tif 000005
(57)【要約】【課題】施工条件に合わせた取付位置を決め、施工後に反射板の位置関係を目的位置に合わせて光学特性を調整することを可能にした反射板の取付構造を提供する。【解決手段】下面ガラスカバー付形街路灯の器具本体１０を備える。前記器具本体１０の内部に配置する逆舟形の反射板２０を備える。前記反射板２０の内部に着脱自在に配置する光源３０を備える。前記器具本体１０の一端寄りの位置に支持軸１２を水平に固定する。前記反射板２０の一端寄りにほば半円状の支持脚２２を形成する。前記支持脚２２を前記支持軸１２回りに掛けて両者を係合する。前記反射板２０の他端寄りの位置にその高さを加減して前記器具本体１０へ固定する高さ調整機構２８を設る。前記支持軸１２・支持脚２２の形状を前記反射板２０を垂直にした状態で前記支持軸１２の上面側に支持脚２２が掛かりその状態から該反射板２０を水平に回動すると前記支持脚２２の先端が前記支持軸１２の側面を越えて下面付近へ進むように定める。【選択図】　　図１
2004127886.tif 000002
【特許請求の範囲】
【請求項１】
下面ガラスカバー付形街路灯の器具本体１０を備え、前記器具本体１０の内部に配置する逆舟形の反射板２０を備え、前記反射板２０の内部に着脱自在に配置する光源３０を備え、前記器具本体１０の一端寄りの位置に支持軸１２を水平に固定し、前記反射板２０の一端寄りにほば半円状の支持脚２２を形成し、前記支持脚２２を前記支持軸１２回りに掛けて両者を係合し、前記反射板２０の他端寄りの位置にその高さを加減して前記器具本体１０へ固定する高さ調整機構２８を設け、前記支持軸１２・支持脚２２の形状を前記反射板２０を垂直にした状態で前記支持軸１２の上面側に支持脚２２が掛かりその状態から該反射板２０を水平に回動すると前記支持脚２２の先端が前記支持軸１２の側面を越えて下面付近へ進むように定めたことを特徴とする街路灯の反射板取付け構造。
【発明の詳細な説明】
【０００１】
【発明の属する技術分野】
本発明は街路灯の反射板取付け構造に関し、反射板の取付高さを調整することにより光学特性を調整することを目的とした街路灯器具に関するものである。
【０００２】
【従来の技術】
従来品は光学特性に合わせた反射板を器具個別に組込んでいた為に、光学特性に合わせて取付位置及び高さを決める必要性があつた。
【０００３】
【発明が解決しようとする課題】
本発明の目的は施工条件に合わせた取付位置を決め、施工後に反射板の位置関係を目的位置に合わせて光学特性を調整することを可能にした反射板の取付構造を提供することにある。
【０００４】
【課題を解決するための手段】
上記目的を達成する為に、反射板にランプ及びソケットを有し、反射板の一端にほぼ半円状を形成した支持脚を設け、本体に形成した支持軸に掛けて係合し、反射板の他端寄りの位置には本体と反射板の間に複数のコイルバネを設け、前記コイルバネを介して反射板をネジにより取付ることにより反射板の高さを調整可能とする。
【０００５】
【発明の実施の形態】
図１〜図３を用いて、本発明の実施形態について説明する。図示の街路灯は器具本体１０に形成された支持脚を保持する支持軸１２を形成し、下面にはランプ３０を保護するガラスカバー５０有している。反射板２０は取付ける為の支持脚２２とランプ３０を保持するソケット４０が取付けられ、更に反射板取付穴２０−１で構成されている。反射板２０の一端寄りにはほぼ半円形状の支持脚２２を形成し、前記支持脚２２を前記本体１０に形成された支持軸１２回りに掛けて反射板２０を本体１０に係合させ、前記反射板２０の他端寄りには凸形の反射板取付け穴を形成し、前記凸形の反射板取付け穴２０−１と本体１０の間にコイルバネ２８−１を入れ、取付ネジ２８−２に寄り、反射板２０は本体１０に取り付けられる。
なお、取付ネジ２８−２の締付け強弱により反射板２０はコイルバネ２８−１のばね力に寄り点線の様に上下に可動し光学特性を調整することが可能である。
【０００８】
【発明の効果】
本発明によれば街路灯のポールを設置する場合の位置関係と光学特性を考慮することなく設置出来る効果がある。
【図面の簡単な説明】
【図１】本発明に係る街路灯器具の斜視図である。
【図２】本発明に係る器具の断面図である。
【図３】その支持軸と反射板に設けた支持脚の蔽合状態の断面図である。
【符号の説明】
１０：器具本体、１２：支持軸、２０：反射板、２０−１：反射板取付穴、２２：支持脚、２８：高さ調整機構、２８−１：コイルバネ、２８−２：取付ネジ、３０：ランプ、４０：ソケット
【図１】
2004127886.tif 000003
【図２】
2004127886.tif 000004
【図３】
2004127886.tif 000005